(57)【要約】自然の植物に覆われる火山性の島の地形に形成され、同時に海洋生物学的資源を回復しながら、中に油／ガス産出及び精製装置が配置される提案された人工島は、社会的インフラストラクチャを有する閉鎖型の生産／精製複合施設を作り、産業及び家庭廃棄物の完全処理を提供することを目的とする。人工島を建設する場所において、海底の地ならしが行われ、支持パイル（５）及び外形外囲部からなる支持体が設置される。外形外囲部は築堤リングに接続されるメインポンツーンを設置することによって内湾を形成する。浮きパイル（６）は築堤リングの外周に沿ってメインポンツーンとは反対側で沈められメインポンツーンに固定される。支持パイルは閉鎖可能な可航運河のための場所を除き築堤リングの内周に沿って海底の硬質の担持岩（１３）まで沈められる。次に閉鎖可能である少なくとも１つの可航運河を形成する段階が行われ、内湾が外洋に接続される。内湾の上方で支持体上にドームが建設され、油／ガス産出装置（２１）、油／ガス精製装置（２２）、また発電ユニット（２３）、生産領域（２４）、及び居住空間（２５）が配置される。
2004522012.tif 000002
【特許請求の範囲】
【請求項１】
海面よりも上に出る支持体を含む人工島であって、
ドームが設けられ、
上記支持体はリング状に形成され、それにより少なくとも１つの閉鎖可能な可航運河によって外洋と接続される内湾を形成し、
上記ドームは、上記内湾の上方で上記支持体上に取付けられることを特徴とする人工島。
【請求項２】
上記ドームにより上記内湾の上方に空洞部が形成されることを特徴とする請求項１記載の人工島。
【請求項３】
上記ドームはタワーの形状に形成されることを特徴とする請求項１又は２記載の人工島。
【請求項４】
上記タワーは階段状にされた円錐体となるよう形成されることを特徴とする請求項３記載の人工島。
【請求項５】
上記タワーは円筒体となるよう形成されることを特徴とする請求項３記載の人工島。
【請求項６】
上記タワーの上部はガラスから形成されることを特徴とする請求項３乃至５のうちいずれか一項記載の人工島。
【請求項７】
上記タワーは、上記空洞部の内部空間内に階層が形成され、装置を置くための３つの階層が得られることを特徴とする請求項３乃至６のうちいずれか一項記載の人工島。
【請求項８】
上記空洞部の内部空間の階層に、中心孔が形成されることを特徴とする請求項７記載の人工島。
【請求項９】
上記空洞部の内部空間は、掘削装置、油／ガス産出装置、油／ガス精製装置、及び／又は発電ユニットを置くことを目的とすることを特徴とする請求項２乃至８のうちいずれか一項記載の人工島。
【請求項１０】
生産領域及び／又は居住空間は、上記タワーの側面の母線に沿って上記タワー内に置かれることを特徴とする請求項３乃至９のうちいずれか一項記載の人工島。
【請求項１１】
上記可航運河を閉鎖する水門が設けられることを特徴とする請求項１乃至１０のうちいずれか一項記載の人工島。
【請求項１２】
上記可航運河の上記水門は角落し式であることを特徴とする請求項１１記載の人工島。
【請求項１３】
植物に覆われた火山性の島の地形の種類に従って形成されることを特徴とする請求項１乃至１２のうちいずれか一項記載の人工島。
【請求項１４】
少なくとも１つの周辺人工島構成物が設けられることを特徴とする請求項１乃至１３のうちいずれか一項記載の人工島。
【請求項１５】
上記周辺人工島構成物は、上記人工島の中心から分かれるビーム状に設置されるポンツーンから形成されることを特徴とする請求項１４記載の人工島。
【請求項１６】
浮きパイルが設けられ、
上記周辺人工島構成物は、その節部において上記浮きパイルに固定されることを特徴とする請求項１５記載の人工島。
【請求項１７】
上記周辺人工島構成物は、追加のポンツーン、運河を有するパーティション、制限境界部、角落し式水門、及び小さい人工島から形成され、
上記追加のポンツーンは上記築堤リングの外周に沿って設置され、
上記パーティションは上記追加のポンツーンから分かれるビーム状に設置され、上記内湾から外洋へ船を通すよう上記運河によって上記内湾に接続され、上記ポンツーンに面していない上記パーティションの側面は上記角落し式水門によって閉鎖され、一連の追加のポンツーンから形成される上記制限境界部に接続され、外側が土によって築堤され、
上記築堤リングの外周、上記パーティションの両側面、及び上記制限境界部の外側によって制限されるセクタは水領域を形成し、
上記小さな人工島は、上記追加のポンツーン及び水圧によって堆積された土から不定形の形状に形成され、上記水領域内に建設されることを特徴とする請求項１４記載の人工島。
【請求項１８】
上記追加のポンツーンは六角形に形成されることを特徴とする請求項１４乃至１７のうちいずれか一項記載の人工島。
【請求項１９】
上記追加のポンツーンは鉄筋コンクリートから形成されることを特徴とする請求項１４乃至１８のうちいずれか一項記載の人工島。
【請求項２０】
上記周辺人工島構成物は、海洋動植物の産業的繁殖のためのベイスンテクノロジカル複合施設、スポーツ複合施設、観光複合施設、及びレクリエイション複合施設から構成される海洋デンドロパークを建設するためのものであることを特徴とする請求項１４乃至１９のうちいずれか一項記載の人工島。
【請求項２１】
海底に設置され海面よりも上に出る外形外囲部と支持パイルとを含む人工島用の支持体であって、
浮きパイルが設けられ、
上記外形外囲部は、分かれるビーム状にリングに沿って置かれるメインポンツーンから内湾を形成することができるよう形成され、
上記内湾に面する上記メインポンツーンの側面は築堤リングに接続され、
上記支持パイルは上記築堤リングの内周に沿って海底の硬質の担持岩まで沈められ、
上記浮きパイルは上記築堤リングの外周に沿って沈められ、対応するメインポンツーンに接続されることを特徴とする支持体。
【請求項２２】
上記外形外囲部には外洋から閉鎖されることが可能である少なくとも１つの可航運河が形成されることを特徴とする請求項２１記載の支持体。
【請求項２３】
上記可航運河を閉鎖する水門が設けられることを特徴とする請求項２２記載の支持体。
【請求項２４】
上記可航運河を閉鎖する上記水門は角落し式であることを特徴とする請求項２３記載の支持体。
【請求項２５】
上記メインポンツーンは矩形に形成されることを特徴とする請求項２１乃至２４のうちいずれか一項記載の支持体。
【請求項２６】
上記メインポンツーンは鉄筋コンクリートから形成されることを特徴とする請求項２１乃至２５のうちずれか一項記載の支持体。
【請求項２７】
上記メインポンツーンには海底を地ならしする際に掘削される土を充填するための内部コンパートメントが形成されることを特徴とする請求項２１乃至２６のうちいずれか一項記載の支持体。
【請求項２８】
上記築堤リングは、上記築堤リングの内側の境界から外側の境界へ同心を有するよう水圧によって堆積される土によって形成され、
上記土の高さは上記メインポンツーンの高さを超えることを特徴とする請求項２１乃至２７のうちいずれか一項記載の支持体。
【請求項２９】
上記築堤リングは、上記可航運河のための場所を除き、大陸の堆積物から得られる大きい砕屑岩によって補強されることを特徴とする請求項２１乃至２８のうちいずれか一項記載の支持体。
【請求項３０】
上記築堤リングは、上記可航運河のための場所を除き、鉄筋コンクリート板から形成される支持壁によって内側が補強されることを特徴とする請求項２１乃至２９のうちいずれか一項記載の支持体。
【請求項３１】
外形外囲部を海面よりも上に出るよう設置する段階と支持パイルを沈める段階とを含む海の浅瀬に人工島を建設する方法であって、
上記人工島建築物が建設される場所の海底を地ならしする段階が行われ、
上記外形外囲部は、分かれるビーム状にリングに沿って置かれるメインポンツーンを設置することによって内湾を形成するようにされ、上記内湾に面する上記メインポンツーンの側面は築堤リングに接続され、
浮きパイルは、上記メインポンツーンとは反対側の外周に沿って沈められ上記メインポンツーンに接続され、
上記支持パイルは、閉鎖機能を有する可航運河のための場所を除き上記築堤リングの内周に沿って上記海底の硬質の担持岩まで沈められ、
上記閉鎖機能をし、上記内湾を外洋に接続するための少なくとも１つの可航運河を形成する段階が行われ、
上記内湾の上方に上記支持体上にドームを建設する段階が行われることを特徴とする方法。
【請求項３２】
上記メインポンツーンは矩形に形成されることを特徴とする請求項３１記載の方法。
【請求項３３】
上記メインポンツーンは鉄筋コンクリートから形成されることを特徴とする請求項３１又は３２記載の方法。
【請求項３４】
上記メインポンツーンには内部コンパートメントが形成され、
上記メインポンツーンは水路で設置場所まで運搬され、上記海底を地ならしする段階で以前に掘削された土で上記内部コンパートメントを充填することによって沈められることを特徴とする請求項３１乃至３３のうちいずれか一項記載の方法。
【請求項３５】
上記築堤リングは、上記築堤リングの内側の境界から外側の境界へ同心を有するよう水圧によって堆積される土によって形成され、
上記土の高さは上記メインポンツーンの高さを越えることを特徴とする請求項３１乃至３４のうちいずれか一項記載の方法。
【請求項３６】
上記築堤リングは、上記可航運河のための場所を除き、大陸の堆積物から得られる大きい砕屑岩によって補強されることを特徴とする請求項３１乃至３５のうちいずれか一項記載の方法。
【請求項３７】
上記築堤リングは、上記可航運河のための場所を除き、鉄筋コンクリート板から形成される支持壁によって内側が補強されることを特徴とする請求項３１乃至３６のうちいずれか一項記載の方法。
【請求項３８】
上記外形外囲部を設置する段階の後、上記外形外囲部の外側に少なくとも１つの周辺人工島構成物が形成されることを特徴とする請求項３１乃至３７記載の方法。
【請求項３９】
上記周辺島構成は、上記人工島の中心から分かれる別のビーム状に設置される追加のポンツーンから形成され、上記周辺人工島構成物の節部において追加の浮きパイルに固定されることを特徴とする請求項３８記載の方法。
【請求項４０】
上記周辺人工島構成物は、追加のポンツーン、運河を有するパーティション、制限境界部、角落し式水門、及び小さい人工島から形成され、
上記追加のポンツーンは上記築堤リングの外周に沿って設置され、
上記パーティションはメインポンツーンから形成され、上記追加のポンツーンから分かれるビーム状に設置され、上記内湾から外洋へ船を通すよう上記運河によって上記内湾に接続され、
上記追加のポンツーンに面していない上記パーティションの側面は、上記角落し式水門によって閉鎖され、一連の追加のポンツーンから形成される上記制限境界部に接続され、外側が土によって築堤され、
上記築堤リングの外周、上記パーティションの両側面、及び上記制限境界部の外側によって制限されるセクタは水領域を形成し、
上記小さな人工島は上記水領域内に、上記追加のポンツーン及び水圧によって堆積された土から不定形の形状に形成されることを特徴とする請求項３８記載の方法。
【請求項４１】
上記追加のポンツーンは六角形に形成されることを特徴とする請求項３８乃至４０のうちいずれか一項記載の方法。
【請求項４２】
上記追加のポンツーンは鉄筋コンクリートから形成されることを特徴とする請求項３８乃至４１のうちいずれか一項記載の方法
【請求項４３】
上記周辺人工島構成物は、海洋動植物の産業的繁殖のためのベイスンテクノロジカル複合施設、スポーツ複合施設、観光複合施設、及びレクリエイション複合施設から構成される海洋デンドロパークを建設するためのものであることを特徴とする請求項３８乃至４２のうちいずれか一項記載の方法。
【請求項４４】
上記内湾の上方にある上記ドームは空洞部を形成するよう建設されることを特徴とする請求項３８乃至４３のうちいずれか一項記載の方法。
【請求項４５】
上記ドームはタワーの形状に形成されることを特徴とする請求項３８乃至４４のうちいずれか一項記載の方法。
【請求項４６】
上記タワーは階段状にされた円錐体となるよう形成されることを特徴とする請求項４５記載の方法。
【請求項４７】
上記タワーは円筒体となるよう形成されることを特徴とする請求項４５記載の方法。
【請求項４８】
上記タワーはコンクリートを断続的に流込む技術によって建設されることを特徴とする請求項４５乃至４７のうちいずれか一項記載の方法。
【請求項４９】
上記タワーは支持柱から集められる建築物支持軸組に固定される予め製造された大きい寸法の要素を配置する技術によって建設されることを特徴とする請求項４５乃至４７のうちいずれか一項記載の方法。
【請求項５０】
上記タワーの上部はガラスから形成されることを特徴とする請求項４５乃至４９のうちいずれか一項記載の方法。
【請求項５１】
上記ドームを建設した後、上記可航運河を閉鎖するための上記水門が上記可航運河に設置されることを特徴とする請求項３１乃至５０のうちいずれか一項記載の方法。
【請求項５２】
上記可航運河を閉鎖するよう上記角落し式水門が使用されることを特徴とする請求項５１記載の方法。
【請求項５３】
上記ドームを建設した後、浮き支持体上の掘削装置が上記内湾内に設置され、
上記内湾は外洋から閉鎖され、
少なくとも１つの掘削孔が掘られることを特徴とする請求項３１乃至５２のうちいずれか一項記載の方法。
【請求項５４】
掘られた上記掘削孔は保持され、
上記掘削装置は取外され上記可航運河に沿って上記内湾から撤去されることを特徴とする請求項５３記載の方法。
【請求項５５】
上記タワー内において、上記空洞部の内部空間に階層が形成され、装置を置くために３つの階層が得られることを特徴とする請求項３１乃至５２及び５４のうちいずれか一項記載の方法。
【請求項５６】
上記タワー内において、油／ガス産出装置及び貯水所が１階に取付けられ、油／ガス精製装置が２階に取付けられ、及び発電ユニットが３階に取付けられ、居住空間が上記タワーの側面の母線に沿って上記２階及び上記３階に置かれ、生産領域が上記タワーの側面の母線に沿って上記１階に置かれることを特徴とする請求項５５記載の方法。
【請求項５７】
上記装置が取付けられた後、上記発電ユニットからの電力網の配置、及び、給水用輸送管路及び排水用導管の配置が行われることを特徴とする請求項５５又は５６記載の方法。
【請求項５８】
生産される原材料及び／又は原材料の精製製品は、対応する船を使用し上記可航運河を通り送られることを特徴とする請求項３１乃至５７のうちいずれか一項記載の方法。
【請求項５９】
上記人工島は植物に覆われた火山性の島の地形の種類に従って形成されることを特徴とする請求項３１乃至５８記載の方法。
【発明の詳細な説明】
【０００１】
本発明は水力学的な建築物に係り、水力学的な建築物は炭化水素原料を生産し完全に精製するために海の浅瀬を開発し整えることを目的とし、また、産業及び家庭廃棄物の完全利用、地形及び環境を高めること、及び社会的及び産業的インフラストラクチャの配置を含む海洋生物学的資源の回復を目的とする。
【０００２】
海底に設置される支持体を含み、支持体は土を異なる部分に充填することにより別々のブロックから建設される人工島が公知である（米国特許第２０４３４５２号、Ｕ．Ｓ． Ｃｌ． ４０５−２２２， Ｊｕｎｅ ６， １９３６）。この特許に記載される人工島は、防波堤要素としての利用法が非常に限られている。
【０００３】
海面から海底にゲル状の塊を形成するよう動く船から海水にゲル状の流体を注入することによって建設される支持体を有する人工島が公知である（米国特許第４５８３８８２号、Ｉｎｔ． Ｃｌ． Ｅ ０２ Ｄ２１／００， Ａｐｒｉｌ ２２， １９８６）。船の軌道はゲル状の塊が所望の支持体の構成を形成するよう選択される。この方法では、小さな寸法の人工島を形成するのにも大量のゲル化剤を消費する必要があり、ゲル状の塊から形成される支持体はその上に大きな建築物を建立するには耐性が十分ではないので、形成される支持体は波と氷から人工島の内部を仕切ることのみに作用する。
【０００４】
支持体を含む人工島は露国特許第２１０７７７３号（Ｉｎｔ． Ｃｌ． Ｅ０ ２ Ｄ １７／００， Ｍａｒｃｈ ２７． １９９８）から公知である。
【０００５】
上述の露国特許第２１０７７７３号から公知である人工島の支持体は、海底に設置され海面よりも上に出る外形外囲部と支持パイルとを含む。
【０００６】
上述の露国特許第２１０７７７３号から、海の浅瀬に人工島を建設する方法が公知であり、上記方法は海面よりも上に外形外囲部を設置する段階と、支持パイルを沈める段階とを含む。
【０００７】
上述される特許は、本出願の内容に最も近い類似のものとして選択された。
【０００８】
示された３つの全ての特許における欠点は、人工島に設置される装置によって生産される炭化水素原料の排出を失敗した際に環境汚染を防ぐことができないということである。このような欠点は、支持体の寸法によって決められる人工島の寸法が小さいと、支持体上に別の建築物を建設することができず、また、掘削又は生産装置以外の任意の装置を設置することができないことにより発生する。従って、生産される炭化水素原料はタンカによって運搬される必要があり、タンカに炭化水素原料を入れる際にも、例えば特に海が荒れているときに海に排出してしまう等、炭化水素原料を環境に排出してしまう可能性がある。
【０００９】
本発明によって解決されるべき課題は、有害な材料を排出することを減少させることによって、産業及び家庭廃棄物の完全利用と組み合わされ炭化水素原料を生産し完全に精製するために海の浅瀬を開発し整える際の生態系的な安全性を増加し、国際基準に従って人々の生態系環境を高め、生態系的に好ましくない地域における人々の居住状態を高め、汚染された領域を回復させることである。
【００１０】
上述の課題は、本発明に従って海面よりも上に出る支持体を含む人工島によって解決される。本発明の人工島はドームが設けられ、支持体は運河を閉鎖する機能を有する少なくとも１つの可航運河によって外洋と接続される内湾を形成するリングの形状に形成され、ドームは内湾の上方で支持体上に設置される。この特定の人工島を形成する場合において更に、ドームにより内湾の上方に階段状の円錐体又は円筒体となるタワーの形状にされる空洞部が形成され、タワーの上部はガラスから形成され、タワー内の空洞部の内部空間には少なくとも１つの階層があり、階層には中心孔が形成され、タワー内の空洞部の内部空間は掘削装置、油／ガス産出装置、油／ガス精製装置、及び／又は発電ユニットを置くためのものであり、生産領域及び／又は居住空間はタワーの側面の母線に沿って配置される。人工島には、可航運河を閉鎖する角落し式の水門が設けられ、人工島は植物に覆われた火山性の島の地形の種類に従って形成される。人工島には、少なくとも１つの周辺人工島構成物が設けられ、上記周辺人工島構成物は、人工島の中心から分かれるビーム状に設置されるポンツーン及び浮きパイルから形成され周辺人工島構成物の節部において浮きパイルに固定されるか、又は運河を有するメインポンツーンから形成されるパーティションであり、追加のポンツーンは築堤リングの外周に沿って設置され、パーティションは追加のポンツーンから分かれるビーム状に設置され、船を内湾から外洋へ通すよう運河によって内湾に接続され、上記追加のポンツーンに面していないパーティションの側面は角落し式水門によって閉鎖され、一連の追加のポンツーンによって構成される制限境界部に接続され、外側が土によって築堤され、築堤リングの外周、パーティションの両側面、及び制限境界部の外側によって制限されるセクタは水領域を形成し、小さい人工島は追加のポンツーン及び水圧によって堆積された土から不定形の形状に形成され、水領域内に建設される。追加のポンツーンは鉄筋コンクリートから六角形に形成され、周辺人工島構成物は海洋動植物の産業的繁殖のためのベイスンテクノロジカル複合施設、スポーツ複合施設、観光複合施設、及びレクリエイション複合施設から構成される海洋デンドロパークを建設するためのものである。
【００１１】
上述された課題は、海底に設置され海面よりも上に出る外形外囲部と支持パイルとを含む本発明の人工島用の支持体によって解決される。本発明の人工島支持体には浮きパイルが設けられ、外形外囲部は分かれるビーム状にリングに沿って配置されるメインポンツーンから形成され、内湾を形成する機能を有し、内湾に面するメインポンツーンの側面は築堤リングに接続され、支持パイルは築堤リングの内周に沿って海底の硬質の担持岩まで沈められ、浮きパイルは築堤リングの外周に沿って沈められ対応するメインポンツーンに接続される。この人工島支持体を形成する特定の場合において更に、外形外囲部には少なくとも１つの可航運河が形成され、可航運河は角落し式の水門によって外洋から運河を閉鎖する機能を有する。メインポンツーンは鉄筋コンクリートから矩形に形成され、海底を地ならしする際に掘削される土を充填するための内部コンパートメントを有する。築堤リングはリングの内側の境界から外側の境界へ同心を有するよう水圧によって堆積される土によって形成され、土の高さはメインポンツーンの高さを越え、可航運河のための場所を除き築堤リングはその外側は大陸の堆積物から得られる大きい砕屑岩によって補強され、その内側は鉄筋コンクリート板から形成される支持壁によって補強される。
【００１２】
上述された課題は、更に海の浅瀬に人工島を建設する方法によって解決される。本発明の方法は、外形外囲部を海面よりも上に出るよう設置する段階と、支持パイルを沈める段階とを含む。本発明では、人工島建築物が建設される場所の海底を地ならしする段階が行われ、外形外囲部はリングに沿って置かれるメインポンツーンを分かれるビーム状に設置することによって内湾を形成し、内湾に面するメインポンツーンの側面は築堤リングに接続され、浮きパイルはメインポンツーンとは反対側の外周に沿って沈められメインポンツーンに接続され、支持パイルは、閉鎖機能を有する可航運河のための場所を除き築堤リングの内周に沿って海底の硬質の担持岩まで沈められる。
【００１３】
次に、閉鎖機能を有し、内湾を外洋に接続するための少なくとも１つの可航運河を形成する段階が行われ、その後に内湾の上方で支持体上にドームを建設する段階が行われる。この人工島を建設する方法では更に、メインポンツーンは鉄筋コンクリートから矩形に形成されて内部コンパートメントを有し、メインポンツーンは水路で設置場所まで運搬され、前の海底を地ならしする段階で掘削された土で内部コンパートメントを充填することによって沈められる。築堤リングはリングの内側の境界から外側の境界に向けて同心を有するよう土が水圧によって堆積されることによって形成され、リングの高さはメインポンツーンの高さを越える。可航運河のための場所を除き築堤リングはその外側は大陸の堆積物から得られる大きい砕屑岩によって補強され、その内側は鉄筋コンクリート板から形成される支持壁によって補強される。
【００１４】
外形外囲部を設置する段階の後で、外形外囲部の外側に少なくとも１つの周辺人工島構成物が形成され、周辺人工島構成物は海洋動植物の産業的繁殖のためのベイスンテクノロジカル複合施設、スポーツ複合施設、観光複合施設、及びレクリエイション複合施設から構成される海洋デンドロパークを建設することを目的とし、周辺人工島構成物は、人工島の中心から分かれる別のビーム状に設置される追加のポンツーンから形成され、周辺人工島構成物の節部において追加の浮きパイルに固定されるか、又は追加のポンツーン、運河を有するパーティション、制限境界部、角落し式水門、及び小さい人工島から形成され、追加のポンツーンは築堤リングの外周に沿って設置され、パーティションはメインポンツーンから形成され追加のポンツーンから分かれるビーム状に設置され、船を内湾から外洋に通すための運河によって内湾に接続され、追加のポンツーンに面していないパーティションの側面は角落し式水門によって閉鎖され、一連の追加のポンツーンによって形成される制限境界部に接続され、外側が土によって築堤され、築堤リングの外周、パーティションの両側面、及び制限境界部の外側によって制限されるセクタは水領域を形成し、小さい人工島は水領域内に、追加のポンツーン及び水圧によって堆積された土から不定形の形状に形成される。追加のポンツーンは鉄筋コンクリートから六角形に形成される。内湾の上方のドームは空洞部を形成するよう建設され、ドームはコンクリートを断続的に投入する技術又は支持柱から集められる建築物支持軸組に固定される予め製造された大きい寸法の要素を配置する技術を使用し、階段状にされた円錐又は円筒タワーの形状に形成される。タワーの上部はガラスから形成される。ドームを形成した後、運河を閉鎖するための角落し式水門が可航運河に設置され、浮き支持体上のド装置が内湾に設置され、内湾は外洋から閉鎖され、少なくとも１つの掘削孔が掘られ、掘られた掘削孔は保持され、掘削装置は取り外されて可航運河に沿って内湾から撤去され、タワー内では空洞部の内部空間に階層が形成され、装置を置くための３つの階層が作られ、油／ガス産出装置及び貯水所が１階に、油／ガス精製装置が２階に、発電ユニットが３階に取付けられ、居住空間がタワーの側面の母線に沿って２階及び３階に、生産領域がタワーの側面の母線に沿って１階に取付けられる。装置が取付けられた後、発電ユニットからの電力網の配置と、給水用輸送管路及び排水用導管の配置とが行われる。人工島は植物に覆われた火山性の島の地形の種類に応じて形成され、生産される原材料及び／又は原材料が精製された後の製品は可航運河を通り対応する船を使用し送られる。
【００１５】
本発明の本質を、人工島を建設する段階毎に示される図面によって説明する。
【００１６】
人工島は、海面２よりも上にありリングの形状に形成され内湾３を形成する支持体１を含む。支持体１上には、内湾３から３０ｍの高さに空洞部（ｇｒｏｔｔｏ）を形成するドーム４が取付けられる。支持体１のリングは、支持パイル５、浮きパイル６、及び海底７に設置され海面２よりも上に出る外形外囲部８から形成される。これにより、外囲部８は内湾３を形成し、周囲に沿って分かれるビーム状にメインポンツーン９が配置され、内湾に面しているメインポンツーンの側面は築堤リング１０に接続される。メインポンツーンは鉄筋コンクリートからなり、３０×１２×３ｍ以上の矩形の形状で、海底を地ならしする際に掘削される土を入れるための内部コンパートメントを有する。築堤リング１０はリングの内側の境界から外側の境界へ同心を有するよう水圧によって堆積された土によって形成され、土の高さはメインポンツーン９の高さを越え、その外側は大陸の堆積物から得られる大きい砕屑岩１１によって、その内側は鉄筋コンクリート板から形成される支持壁によって補強される。支持パイル５は可航運河１２用の場所を除き築堤リング１０の内周に沿って海底の硬質の担持岩１３まで沈められる。浮きパイル６は築堤リング１０の外周に沿って軟質の海底の地盤１４まで沈められ対応するメインポンツーン９に接続される。外形外囲部８には４つの可航運河１２が形成され、それらは角落し式の水門１５によって運河を閉鎖する機能を有する。
【００１７】
ドーム４は浮きパイル６に接続される階段状にされた円錐体のタワー１６又は円筒のタワーの形状に形成される。タワーの上部１７はガラスから形成される。タワー内には空洞部の内部空間１８が形成され、掘削装置２０、油／ガス産出装置２１、油／ガス精製装置２２、及び発電ユニット２３を置くための３つの階層を形成する床１９を有する。床１９には、持上げ及び運搬機械を使用し装置を取付ける又は撤去する際に積荷を動かすための中心孔が形成される。タワー内には、その母線に沿って生産領域２４及び／又は居住空間２５が置かれる。人工島は、植物に覆われた火山性の島の地形の種類に従って形成される。外形外囲部１０の外側から、周辺人工島構成物２６が形成され、周辺人工島構成物２６は例えば、人工島の中心から分かれる別のビーム２７の形状で、約９．５×１１×３ｍの寸法を有する鉄筋コンクリートからなる六角形の追加のポンツーン２８から形成され、周辺人工島構成物２６はその節部において、海底の軟質の地盤１４まで沈められる追加の浮きパイル２９に固定される。
【００１８】
周辺人工島構成物２６の別の実施例を以下に示す。
【００１９】
築堤を有する追加のポンツーン２８は築堤リング１０の外周に沿って設置される。鉄筋コンクリート製のメインポンツーン９から形成され、内湾から外洋へ船を通すよう内湾３に結合される運河３１を有するパーティション３０は最大５，０００ｍの長さのビーム状に追加のポンツーン２８から分かれる。パーティション３０の外部端は、外部が土３３によって築堤された一連の追加のポンツーン２８から形成される制限境界部３２に結合される。追加のポンツーン２８から形成される築堤リングの外周、パーティション３０の両側面、及び制限境界部３２の外側によって制限される４つのセクタ３４は水領域を形成し、小さい人工島３５は追加のポンツーン２８及び水圧によって堆積される土から不定形の形状に形成され、水領域内に建設される。上記分かれるビームの外側のパーティションの端部は、角落し式の水門１５によって閉鎖される。この場合、周辺人工島構成物を建設するために使用される追加のポンツーン２８は六角形に鉄筋コンクリートから形成される。周辺人工島構成物２６の他の実施の形態も可能である。
【００２０】
周辺人工島構成物２６は、海洋動植物の産業的繁殖のためのベイスンテクノロジカル複合施設（ハスの栽培場３６、養魚場３７、稚魚を飼育するための稚魚池３８）、スポーツ（例えば釣り等）のための場所３９、観光複合施設４０、生産複合施設（例えば、運搬複合施設４１、キャビア工場４２、魚缶詰工場４３、編物製品工場４４、ポリエチレン及びポリエチレン製品生産工場４５等）、住宅ユニット４６、消費者サービスユニット４７、経営管理財政ユニット４８、更に通信複合施設４９、自然保護複合施設、銀行複合施設、健康保護複合施設、景観複合施設等から構成される海洋デンドロパーク（ｄｅｎｄｒｏｐａｒｋ）を建設するためのものである。
【００２１】
人工島は以下の方法によって、幾つかの段階を経て建設される。
【００２２】
段階Ｉ  人工島建築物が建設される場所の海底を地ならしするための水圧による作業
産業建築用用地の地質学的工学的調査が終了し、調査に基づいて全体的計画及び基礎計画を立てた直後に、人工島が建設される場所の海底７を地ならしするための水圧による作業が行われる。第１の段階は、
ａ）メインポンツーン９及び人工島の基礎の主なキャリア要素である追加のポンツーン２８を設置するために海底７を１．５ｍの深さに地ならしすることと、
ｂ）人工島の内湾３につながる可航運河１２用に、４つの側面から海底７を地ならしし、地ならしする深さは掘削装置２０を内湾に運搬する金属の浮きポンツーンの喫水によって決められることと、
ｃ）内湾３内の水領域の海底７を地ならしし、地ならしする深さは内湾３内に持ち込まれる浮き物体の喫水によって決められることとを含む。
【００２３】
地ならしすることは浚渫機４５と掘削された土を運搬する貨物船４６によって行われる。掘削された土は建設された人工島の支持体要素に築堤するよう更に利用される。
【００２４】
段階ＩＩ  分かれるビーム状に円周に沿ってのメインポンツーンの設置
第２の段階の枠内において、メインポンツーン９及び追加のポンツーン２８は設置の場所までウォータウェイによって牽引される。牽引は、各ポンツーンの種類の作業パラメータに対応する天候状態で行われる。タグボートの出力に応じて、ポンツーンの牽引は１つずつか又は列をなして行われる。各ポンツーンはプッシュボートによってすぐに設置される場所に押される。メインポンツーン９は、共通の中心から分かれるビーム状に配置される。この場合、共通の中心は内湾３の水領域である。メインポンツーン９が所定の構成に配置されると、メインポンツーン９の最終的な土への設置は、段階Ｉにおいて海底７を地ならしする際に以前に掘削された土を内部コンパートメントに充填することによって行われる。
【００２５】
段階ＩＩＩ  築堤リングの実施
内湾３に面したメインポンツーン９の側面は、築堤リング１０の内側の境界から外側の外周の境界に向けて同心を有するよう土が水圧によって堆積されることによって形成される築堤リング１０に接続される。築堤リング１０の高さはメインポンツーン９の高さを越える。築堤リング１０の外側の側面への水圧による堆積が終了すると、この外側の側面は貨物船４６によって大陸の堆積物から運ばれ、バケットを使用して排出される大きい砕屑岩１１によって補強される。しかし、将来取り除いて内湾３に通される可航運河１２のための路を開けるための築堤リングの外側の境界の場所は大きい砕屑岩１１によって補強されない。築堤リング１０の内側の境界は、鉄筋コンクリート板から形成される支持壁によって補強される。支持体壁には可航運河１２の路のための中断部がある。
【００２６】
段階ＩＶ  支持パイル及び浮きパイルの沈下
浮きパイル６は、メインポンツーン９とは反対側の築堤リング１０の内周に沿って海底７の軟質の地盤１４まで沈められ、メインポンツーン９の配置の所定の構成がしっかりと固定されることを保証するよう対応するメインポンツーン９に固定される。次に周辺人工島構成物２６が建設され、周辺人工島構成物は人工島の中心から分かれるビーム２７状に設置される追加のポンツーン２８から形成され、周辺人工島構成物２６はその節部において、海底の軟質の地盤まで沈められる追加の浮きパイル２９に固定され、それにより周辺人工島構成物２６の構成がしっかりと固定されることが保証される。周辺人工島構成物２６は、追加のポンツーン２８、運河３１を有するパーティション３０、制限境界部３２、角落し式水門１５、及び小さい人工島３５から構成され得、追加のポンツーン２８は築堤リング１０の外周に沿って設置され、パーティション３０はメインポンツーン９から形成されて追加のポンツーンから分かれるビーム状に設置され、内湾から外洋に船を通すよう運河３１によって内湾３に結合され、追加のポンツーン２８に面していないパーティションの側面は角落し式水門１５によって閉鎖され、一連の追加のポンツーン２８から形成され外部が土３３によって築堤される制限境界部３２に結合され、築堤リング１０の外周、パーティションの各側面、及び制限境界部３２の外側によって制限されるセクタ３４は水領域を形成し、小さい人工島３５は水領域内に、追加のポンツーン１８及び水圧によって堆積された土から形不定形の形状に成される。可航運河用の場所を除く築堤リング１０の内周に沿って、支持パイル５が浮きパイル６とは対照的に、海底の硬質の担持岩１３に接触するまで沈められ、ドーム４の支持要素として作用する。次に、内湾３につながる可航運河１２を形成するために築堤リング１０の運河が形成される場所の土の掘削を行う。これにより、水先案内のための可航運河１２が利用可能となる。
【００２７】
段階Ｖ  ドームの実施
浮き建築機械は、建築装置、建築部品、建築構造物及び建築材料と共に内湾３の水領域に運搬され、前の段階で静止するよう設置されたメインポンツーン１０と追加のポンツーン２８の表面上に一時的に置かれて保管される。次に、補強材を埋め込みながらコンクリートを断続的に流込む技術を使用する浮き移動式仮工事によってドーム４がモノリスとして建設される。ドーム４は、支持柱から集められる建築物支持軸組に固定される予め製造された大きい寸法の要素を配置する技術を使用して建設されることも可能である。この場合、組立ては重貨物のヘリコプタ操縦術を利用して行われ、これにより組立て時間は明らかに減少されるが、この技術は不可避的に費用がかなり増加してしまう。建設されるドーム４は一般的に３０ｍの高さで、上部に空洞部と後にガラスによって覆われる孔を有する階段状にされた中空円錐体のタワーである。ドーム４を形成している鉄筋コンクリート構造は、外部又は内部の点における衝突荷重に対し十分な抵抗性を長期に亘って有する強度である。
【００２８】
段階ＶＩ  海洋動植物の産業的繁殖のためのベイスンテクノロジカル複合施設を含む海洋デンドロパークの形成
建築される海洋デンドロパークの中心において、追加のポンツーン２８の基礎上に、稚魚を飼育するための塑性稚魚池３８によって囲まれる半球状の構造である養魚場３７が建設される。稚魚池３８は丸い形状をしており、上記構造の外側の母線に沿って密接される。次に運河３１を有するパーティション３０が取付けられ、養魚場３７の内側の築堤から分かれるビームの形状で（最大５，０００ｍ）の長さで建設される。パーティション３０はメインポンツーン９に取付けられる。養魚場３７とは反対側にあるパーティション３０の外部端には、外洋から隔離するための角落し式の水門１５が設置される。自動駆動の引き網システムがボトムベッドに置かれる。パーティション３０の水領域は稚魚の為のものであり、また、魚類繁殖複合施設生産ラインの主な要素であり、パーティションの水領域は魚製品の製造と、稚魚を外洋に放出することによって海洋生物学的資源補給との両方を保証する。次に、パーティション３０の外部端は、一連の追加のポンツーン２８から形成され外部が土３３によって築堤される制限境界部３２に結合される。無秩序に分散され、ロータスを栽培しスポーツフィッシングをするための状態を形成することを目的とする人工島３５は、４つ形成されたセクタ３４内の水領域内に建設される。従って、海洋デンドロパークを形成する段階ＶＩの枠組み内で行われる作業は、共通のユニットに組み合わされるという顕著な特徴を有する。即ち、
ａ）チョウザメ及び他の魚類の産業的繁殖のためのベイスンテクノロジカル複合施設
ｂ）養魚場
ｃ）稚魚を飼育するための稚魚池
ｄ）小さい島等のようなスポーツフィッシングをするための場所
段階ＶＩＩ  浮き支持体上の掘削装置の内湾の中心への設置と、角落し水門による内湾の外洋からの閉鎖
段階ＶＩＩは段階ＶＩと並行して開始される。可航運河１２の築堤リング１０と交差する場所に、自動駆動部を有するスチール構造から形成され、閉じられた際には内湾３を完全に密閉することを保証する角落し式の水門１５が具備される。掘削装置２０は、スチール製浮きポンツーン上に垂直又は水平位置に置かれ可航運河１２に沿って誘導され、次に掘削装置は内湾３内に配置される。その後、内湾３は角落し式の水門１５によって閉じられることによって密閉される。
【００２９】
段階ＶＩＩＩ  掘削作業
掘削作業は選択された種類の掘削装置２０によって、地下の地層の境界線を通り油田の深さに到達するまで実行される。
【００３０】
段階ＩＸ  掘削装置の撤去
掘削孔は一時的に保持され、可航運河１２の角落し式水門１５が開かれた後に掘削装置２０は撤去され、掘削装置２０はスチール製浮きポンツーンに載せられ外洋に移動される。
【００３１】
段階Ｘ  空洞部の内部空間の測定及び３つの階層の形成
内湾３において、またタワーの上部１７の中心孔の周りに巻上げ機械が置かれ、それにより後に３つの階層を形成する鉄筋コンクリートの床１９と共に空洞部の内部空間１８の測定が行われる。鉄筋コンクリートの床１９の中心部には、穴の近くに設置される巻上げ機械を使用し機械を設置又は撤去する際の貨物移動の為の通過孔が設けられる。
【００３２】
段階ＸＩ  油／ガス産出装置及び精製装置、貯水所、発電ユニット、更には居住空間、生産領域の取付け
最初に空洞部を上から覆うタワーの上部１７にガラスがはめられる。次に、発電ユニット２３が３階に置かれ、油／ガス精製装置２２が２階に置かれ、油／ガス産出装置２１が１階に置かれ、更に居住空間２３がタワーの母線に沿って２階と３階に置かれ、生産領域２４がタワーの母線に沿って１階に置かれる。油／ガス産出装置２１は延長ジャッキを有するスチール製浮きプラットホームに置かれ、プラットホームは角落し式水門１５が開かれた可航運河１２を介し内湾１３に入り、プラットホームが配置されるとジャッキが延長され、それによりプラットホームはジャッキによって海面よりも上に支持される。油／ガス産出装置用のプラットホームの他の実施方法も可能である。
【００３３】
段階ＸＩＩＩ  連絡網の配置
この段階は、段階ＸＩの作業の間に３階に発電ユニット２３を設置した後に開始される。この段階では発電ユニットからの電力網と、給水用輸送管路及び排水用導管の配置が、変圧副局、配電主局、配電局、排水及び給水局、水門用仕切り等を設置することと並列して作業が行われる。飲用水は産業生産複合施設の領域に置かれる貯水所（ｗａｔｅｒ ｆｉｅｌｄ）から被圧井戸を介して得られ、廃棄物の流体部は内部層の圧力を支えるために油を含む層にポンプで送られ、これにより水と、産業及び家庭廃棄物の流体部の完全に自主的で閉じられた回路の循環が保証される。電力及び下水網は、人工島の空洞部に置かれる電力及び下水網の構造と周辺の人工島構成に置かれる電力及び下水網の構造とを組合わせることによって１つの閉じられた回路の自給的自主的な複合施設に接続される。
【００３４】
段階ＸＩＩＩ  角落し式の水門による内湾の外洋からの閉鎖
段階ＸＩＩＩは、段階ＸＩＩと部分的に同時に行われる。角落し式水門１５は、人工島の空洞領域における電力網、給水、排水導管を完成させるための容量のある部品の供給が終了した後に閉じられ、それにより内湾３を外部の環境から隔離させる。
【００３５】
段階ＸＩＶ  補助複合施設の建設及び操業開始
この段階では、周辺人工島構成物２６及びタワー内に置かれた住宅複合施設、ホテル／観光複合施設、産業複合施設、経営管理複合施設、銀行複合施設等の操業を開始させる。
【００３６】
このような人工島、人工島の支持体、及び浅い海の浅瀬を開発し整える際に人工島及び人工島の支持体を建設する方法の実施は、炭化水素原料を生産し完全に精製する段階を産業及び家庭排水を完全利用する段階と組合わせることを可能にし、それにより地形及び環境改善、従業員の心理学的及び医療生物学的（ｍｅｄｉｃｏ−ｂｉｏｌｏｇｉｃａｌ）なリハビリテーション、また、社会的及び産業的インフラストラクチャの配置を含む海洋生物学的資源を回復させる。本発明は、環境的な危機に影響を受けている環境、特にカスピ海の浅瀬にある油・ガス田を含む保護された領土及び海水領域をより健全にするために重要な社会的及び実利的な意義を有する。提案される人工島は、海洋生物学的資源を同時に回復しながら油／ガス産出及び精製産業を配置し、また、廃棄物の流体部分を内部層の圧力を維持するよう地下にポンプで送り、廃棄物の固体部分を建立された人工的建物の領土を更に拡張するための鉄筋コンクリート製品を生産する際の充填物として使用することによって産業及び家庭廃棄物を完全に使用することにより産業及び家庭廃棄物の完全処理を与える社会的インフラストラクチャを有する閉鎖型の産業的生産的複合施設を形成するために、自然の植物に覆われた火山性の島の地形の形状で実施される一連の人工島形式の設備を形成するために使用されることが可能である。
【図面の簡単な説明】
【図１】
段階Ｉ（人工島が建設される場所の海底を地ならしするための水圧による作業）を示す図である。
【図２】
段階ＩＩ（分かれるビーム状に円周に沿ってのメインポンツーンの設置）を示す図である。
【図３】
図２の線Ａ−Ａについての断面を示す図である。
【図４】
段階ＩＩＩ（築堤リングの実施）を示す図である。
【図５】
図４の線Ｂ−Ｂについての断面を示す図である。
【図６】
段階ＩＶ（支持パイル及び浮きパイルの沈下）を示す図である。
【図７】
図６の線Ｃ−Ｃについての断面を示す図である。
【図８】
段階Ｖ（ドームの実施）を示す図である。
【図９】
段階ＶＩ（海洋動植物の産業的繁殖のためのベイスンテクノロジカル複合施設を含む海洋デンドロパークの形成）を示す図である。
【図１０】
段階ＶＩＩ（内湾の中心への浮き支持体上への掘削装置の設置）を示す図である。
【図１１】
同じ段階ＶＩＩ（内湾の外洋からの角落し水門による閉鎖）を示す図である。
【図１２】
段階ＶＩＩＩ（掘削作業の実行）を示す図である。
【図１３】
段階ＩＸ（掘削装置の撤去）を示す図である。
【図１４】
段階Ｘ（空洞部の内部空間の測定及び３つの階層の形成）を示す図である。
【図１５】
段階ＸＩ（１階への油／ガス産出装置の取付け、２階への油／ガス精製装置の取付け、３階への発電ユニットの取付け、タワーの母線に沿って２階及び３階への居住空間の取付け、タワーの保線に沿って１階への生産領域の取付け）を示す図である。
【図１６】
階段状にされた円錐タワーの機能的ゾーニングを示す図である。
【図１７】
段階ＸＩＩ（発電ユニットからの電力網の配置と給水用輸送管路及び排水用導管の配置の実施）を示す図である。
【図１８】
段階ＸＩＩＩ（角落し式の水門による内湾の外洋からの閉鎖）を示す図である。
【図１９】
段階ＸＩＶ（生産複合施設、経営管理財政複合施設、消費者サービス複合施設、スポーツ複合施設、観光複合施設、及びレクリエイション複合施設の建設）を示す段階である。
【国際公開パンフレット】
2004522012.tif 000003
2004522012.tif 000004
2004522012.tif 000005
2004522012.tif 000006
2004522012.tif 000007
2004522012.tif 000008
2004522012.tif 000009
2004522012.tif 000010
2004522012.tif 000011
2004522012.tif 000012
2004522012.tif 000013
2004522012.tif 000014
2004522012.tif 000015
2004522012.tif 000016
2004522012.tif 000017
2004522012.tif 000018
2004522012.tif 000019
2004522012.tif 000020
2004522012.tif 000021
2004522012.tif 000022
2004522012.tif 000023
2004522012.tif 000024
2004522012.tif 000025
2004522012.tif 000026
2004522012.tif 000027
2004522012.tif 000028
2004522012.tif 000029
2004522012.tif 000030
2004522012.tif 000031
2004522012.tif 000032
2004522012.tif 000033
2004522012.tif 000034
2004522012.tif 000035
2004522012.tif 000036
2004522012.tif 000037
2004522012.tif 000038
2004522012.tif 000039
2004522012.tif 000040
2004522012.tif 000041
2004522012.tif 000042
2004522012.tif 000043
2004522012.tif 000044
2004522012.tif 000045
2004522012.tif 000046
2004522012.tif 000047
2004522012.tif 000048
2004522012.tif 000049
2004522012.tif 000050
2004522012.tif 000051
【国際調査報告】
2004522012.tif 000052
2004522012.tif 000053